(57)【要約】  【課題】  録音したラジオ放送の中から所望のコンテンツを容易に再生することが可能なラジオ放送録音再生装置を提供すること。  【解決手段】  ラジオチューナ１により放送局を選択し、そのラジオ放送に含まれている個々のコンテンツに関する情報をコンテンツ検出部２により検出する。そして、検出したコンテンツに関する情報とラジオ放送とを関連付けて音楽録音用メモリ３ａ及び交通情報録音用メモリ３ｂに蓄積し、コンテンツ再生部４で上記検出したコンテンツに関わる情報によってコンテンツを抽出し、コンテンツの送り及び戻し再生を行う。【選択図】  図１
2006099854.tif 000002
【特許請求の範囲】
【請求項１】
ラジオ放送の選局を行う選局手段と、
前記選局手段により選局されているラジオ放送に含まれるコンテンツ又は前記コンテンツの切れ目を検出するコンテンツ検出手段と、
前記検出されたコンテンツ又はその切れ目より前記検出されたコンテンツを記憶するラジオ放送録音用記憶手段と、
前記記憶されているコンテンツを選択して再生するコンテンツ再生手段と、
を備えるラジオ放送録音再生装置。
【請求項２】
請求項１記載のラジオ放送録音再生装置であって、
前記コンテンツ検出手段は、前記選局されているラジオ放送の音声レベルに基づいて、前記コンテンツ又はその切れ目を検出するラジオ放送録音再生装置。
【請求項３】
請求項１又は２記載のラジオ放送録音再生装置であって、
前記コンテンツ検出手段は、前記選局されているラジオ放送の音声に含まれる周波数成分によって、前記コンテンツ又はその切れ目を検出するラジオ放送録音再生装置。
【請求項４】
請求項１ないし３のいずれか一項記載のラジオ放送録音再生装置であって、
前記選局されているラジオ放送に多重されたデータを復調するデータ復調手段を更に備え、
前記コンテンツ検出手段は、前記復調されたデータに基づいて前記コンテンツ又はその切れ目を検出するラジオ放送録音再生装置。
【請求項５】
請求項１ないし４のいずれか一項記載のラジオ放送録音再生装置であって、
前記受信した放送の放送内容及びその時刻情報を含む放送内容情報を取得する放送内容情報取得手段を更に備え、
前記コンテンツ検出手段は、前記放送内容情報に基づいて前記コンテンツ又はその切れ目を検出するラジオ放送録音再生装置。
【請求項６】
請求項１ないし５のいずれか一項記載のラジオ放送録音再生装置であって、
前記コンテンツ検出手段は、音楽コンテンツ又は交通情報コンテンツの少なくとも一つを検出するものであるラジオ放送録音再生装置。
【請求項７】
請求項１ないし６のいずれか一項記載のラジオ放送録音再生装置であって、
前記コンテンツの録音された時刻と選局されている放送局を示すコンテンツ関連情報を取得する選局・時刻取得手段を更に備え、前記ラジオ放送録音用記憶手段は、前記コンテンツ関連情報と前記検出されたコンテンツとを対応付けて記憶するラジオ放送録音再生装置。
【請求項８】
請求項１ないし７のいずれか一項記載のラジオ放送録音再生装置であって、
前記検出されたコンテンツに対応したラジオ放送の音声データを圧縮して前記記憶手段へ出力する圧縮手段と、前記記憶手段から読み出した圧縮された音声データを伸張して前記再生手段へ出力するデータ伸張手段と、を更に備えるラジオ放送録音再生装置。
【発明の詳細な説明】
【技術分野】
【０００１】
本発明は、ラジオ放送の録音及び再生を行うラジオ放送録音再生装置に関するものである。
【背景技術】
【０００２】
従来、ラジオ放送の録音及び再生機能を備えた装置を用いて、ラジオ放送の聞き逃し時に追いかけ再生を可能にするシステムが知られている。例えば、ラジオ放送の録音装置を２台使用して、ナビ音声の割り込みによってミュートされたチューナ音声を割り込み終了後に出力するシステムが提案されている（例えば特許文献１参照）。
【０００３】
また、ラジオ放送の中の交通情報に対し、交通情報の開始時刻になったときに放送の録音を行ったり、あるいは交通アナウンス情報により放送の録音を実施することが提案されている（例えば特許文献２参照）。
【０００４】
【特許文献１】特開２０００−２６６５５８号公報
【特許文献２】特開平３−１８５９３３号公報
【発明の開示】
【発明が解決しようとする課題】
【０００５】
しかしながら、上記従来のラジオ放送録音再生装置にあっては、ラジオ放送に含まれているユーザの欲するコンテンツの再生、つまり録音したラジオ放送のユーザの好みにあったコンテンツの再生が困難であり、特に音楽の選択が困難であるという問題があった。
【０００６】
本発明は、上記従来の事情に鑑みてなされたものであって、録音したラジオ放送の中から所望のコンテンツを容易に再生することが可能なラジオ放送録音再生装置を提供することを目的とする。
【課題を解決するための手段】
【０００７】
本発明のラジオ放送録音再生装置は、ラジオ放送の選局を行う選局手段と、前記選局手段により選局されているラジオ放送に含まれるコンテンツ又は前記コンテンツの切れ目を検出するコンテンツ検出手段と、前記検出されたコンテンツ又はその切れ目より、前記検出されたコンテンツを記憶するラジオ放送録音用記憶手段と、前記記憶されているコンテンツを選択して再生するコンテンツ再生手段と、を備える。
【０００８】
この構成により、録音したラジオ放送の中から必要なコンテンツを容易に再生することができる。
【０００９】
また、本発明のラジオ放送録音再生装置において、前記コンテンツ検出手段は、前記選局されているラジオ放送の音声レベルに基づいて、前記コンテンツ又はその切れ目を検出する。
【００１０】
この構成により、ラジオ放送内容を音声情報から検出することができる。
【００１１】
また、本発明のラジオ放送録音再生装置において、前記コンテンツ検出手段は、前記選局されているラジオ放送の音声に含まれる周波数成分によって、前記コンテンツ又はその切れ目を検出する。
【００１２】
この構成により、ラジオ放送内容を音声情報から検出することができる。
【００１３】
また、本発明のラジオ放送録音再生装置において、前記選局されているラジオ放送に多重されたデータを復調するデータ復調手段を更に備え、前記コンテンツ検出手段は、前記復調されたデータに基づいて前記コンテンツ又はその切れ目を検出する。
【００１４】
この構成により、データ多重放送におけるデータから、ラジオ放送のコンテンツを検出することができる。
【００１５】
また、本発明のラジオ放送録音再生装置は、前記受信した放送の放送内容及びその時刻情報を含む放送内容情報を取得する放送内容情報取得手段を更に備え、前記コンテンツ検出手段は、前記放送内容情報に基づいて前記コンテンツ又はその切れ目を検出する。
【００１６】
この構成により、放送局のウェブサイト等により提供される放送内容情報から、ラジオ放送のコンテンツを検出することができる。
【００１７】
また、本発明のラジオ放送録音再生装置において、前記コンテンツ検出手段は、音楽コンテンツ又は交通情報コンテンツの少なくとも一つを検出するものである。
【００１８】
この構成により、音楽情報又は交通情報を検出し、再生することができる。
【００１９】
また、本発明のラジオ放送録音再生装置は、前記コンテンツの録音された時刻と選局されている放送局を示すコンテンツ関連情報を取得する選局・時刻取得手段を更に備え、前記ラジオ放送録音用記憶手段は、前記コンテンツ関連情報と前記検出されたコンテンツとを対応付けて記憶する。
【００２０】
この構成により、録音した時刻や選局された放送局から所望のコンテンツを検索し、再生することができる。
【００２１】
また、本発明のラジオ放送録音再生装置において、前記検出されたコンテンツに対応したラジオ放送の音声データを圧縮して前記記憶手段へ出力する圧縮手段と、前記記憶手段から読み出した圧縮された音声データを伸張して前記再生手段へ出力するデータ伸張手段と、を更に備える。
【００２２】
この構成により、記憶手段の記憶容量の消費を低減させることができる。
【発明の効果】
【００２３】
本発明によれば、録音したラジオ放送の中から所望のコンテンツを容易に再生することが可能なラジオ放送録音再生装置を提供することができる。
【発明を実施するための最良の形態】
【００２４】
以下、本発明の実施形態のラジオ放送録音再生装置について、図面を用いて説明する。図１は、本発明の実施形態に係るラジオ放送録音再生装置の基本構成を示すブロック図であり、この図を用いて本実施形態のラジオ放送録音再生装置の概要を説明する。
【００２５】
図１に示すように、本実施形態のラジオ放送録音再生装置は、ラジオチューナ１と、コンテンツ検出部２と、音楽録音用メモリ３ａと、交通情報録音用メモリ３ｂと、コンテンツ再生部４と、アンプスピーカ５とを備える。
【００２６】
ラジオチューナ１は、ラジオ放送を選局する。コンテンツ検出部２はこのラジオチューナ１により選局されたラジオ放送に含まれる個々のコンテンツに関する情報を検出する。具体的には、コンテンツに関する情報として、コンテンツの内容又はコンテンツの切れ目（変わり目）を検出する（詳細は後述する）。そして、検出したコンテンツをラジオ放送録音用メモリ３ａ又は３ｂに蓄積する。
【００２７】
このとき、音楽のコンテンツは音楽録音用メモリ３ａに録音し、交通情報のコンテンツは交通情報録音用メモリ３ｂに録音する。コンテンツ再生部４は、これらのメモリ３ａ、３ｂに録音されたラジオ放送を再生してスピーカ５に出力するが、その際上記検出したコンテンツの内容の送り及び戻し再生を行う。
【００２８】
また、上記ラジオ放送のコンテンツの内容が交通情報であった場合には交通情報録音用メモリ３ｂの内容をその新しい交通情報に更新し、コンテンツ再生部４はユーザによって交通情報が選択されたときには、交通情報録音用メモリ３ｂの内容を再生する。更に、ラジオ放送の蓄積時にラジオチューナ１によって選択された局情報及び日時情報も同時に蓄積する。
【００２９】
このような本発明の実施形態のラジオ放送録音再生装置によれば、ラジオ放送に含まれる個々のコンテンツに関する情報を検出するとともに、検出したコンテンツに関する情報とラジオ放送とを関連付けて蓄積し、蓄積したラジオ放送をコンテンツに関わる情報によって再生することにより、録音したラジオ放送の中から必要なコンテンツを容易に再生することができる。特に、録音したラジオ放送の中から音楽部分のみの再生が可能である。
【００３０】
また、コンテンツに関する情報としてコンテンツの内容又はコンテンツの切れ目を検出しているので、必要なコンテンツの抽出が容易となる。更に、音楽のコンテンツのみを蓄積する音楽録音用メモリ３ａを設けているので、音楽の選択が容易となる。また、ラジオ放送の蓄積時にラジオチューナ１によって選択された局情報及び日時情報も同時に蓄積しておけば、コンテンツの出所を容易に知ることができる。
【００３１】
図２は上記ラジオ放送録音再生装置の詳細構成を示すブロック図である。図２に示すように、本実施形態のラジオ放送録音再生装置は、ラジオチューナ１ａ、１ｂと、コンテンツ検出部２と、ラジオ放送録音用メモリ３と、コンテンツ再生部４と、アンプスピーカ５と、スイッチ６と、データ圧縮部７と、データ伸張部８と、コンテンツ表示部９と、セレクタ１０と、選局・時刻取得部１１と、放送局情報取得部１２とを備える。
【００３２】
ラジオチューナ１ａ、１ｂはラジオ放送の選局を行うラジオチューナであり、この複数のチューナの搭載により、聴いている局、裏で放送されている局、ラジオを聴いていないときの録音が可能となる。そして、選択されたラジオ放送はスイッチ６により切り換えられ、コンテンツ検出部２かセレクタ１０に出力される。
【００３３】
選局・時刻取得部１１は、現在コンテンツ検出を行っているラジオ放送の選局情報や、現在時刻を取得し、コンテンツと対応付けてラジオ放送録音用メモリ３への記録を行う。放送局情報取得部１２は、有線又は無線（例えば、移動体通信網、車載装置に本実施形態の録音再生装置が車載装置に適用される場合であればＤＳＲＣ等）の通信網を介して放送局のウェブサイト等の配信情報により、放送する曲の情報や放送する時刻情報を取得する。
【００３４】
コンテンツ検出部２ではコンテンツが音楽の場合に、放送局情報取得部１２から、その曲情報と時刻情報が入力され、このコンテンツ検出部２から出力された放送データは必要に応じてデータ圧縮部７で圧縮されてラジオ放送録音用メモリ３に出力される。なお、曲情報・時刻情報は、受信するラジオ放送がデータ多重放送の場合、コンテンツ検出部２がそのデータを復調し、検出しても良い。
【００３５】
このとき、放送データを圧縮せずにそのまま記録する場合はデータ圧縮部７及びデータ伸張部８は不要であるが、データを圧縮することによりメモリを有効活用することができる。
【００３６】
上記ラジオ放送録音用メモリ３の音楽録音用メモリ３ａと交通情報録音用メモリ３ｂの放送データはコンテンツ表示部９に出力され、ここで、録音した音楽の曲数、ジャンル、局名、放送時刻、タイトル名、歌手名、更に再生中の音楽の曲名、放送時刻、タイトル名、歌手名などが表示され、また、交通情報の更新された時刻などが表示される。また、コンテンツ再生部４で再生された放送データは上記セレクタ１０を経由してアンプを内蔵したスピーカ５に出力される。
【００３７】
図３の（Ａ）、（Ｂ）は、それぞれ上記音楽録音用メモリ３ａ及び交通情報録音用メモリ３ｂの記憶領域を示す図である。音楽録音用メモリ３ａにはチャンネル、日時情報、タイトル名、歌手名情報、及びジャンル情報などが記録され、交通情報録音用メモリ３ｂにはチャンネル、日時情報などが記録される。この記録情報は、選局・時刻取得部１１、放送局情報取得部１２及びデータ多重放送に含まれるデータから取得される。
【００３８】
次に、コンテンツ検出部２におけるコンテンツ検出例について、図４を用いて説明する。図４中、縦軸はラジオ放送の音量（音声レベル）、横軸は時間を示している。
【００３９】
図示のように、ラジオ放送中に複数の無音期間が存在するが、それらの時間幅によってコンテンツ（音楽又は音楽とＤＪ）及びそれらの切れ目（ＤＪ）、またＣＭ（コマーシャル）を検出する。すなわち、無音期間の検出によってＣＭ検出、放送中のＤＪ（放送中の音楽以外）の検出、また１５秒、３０秒毎等の無音期間の検出によりＣＭの判定が可能である。
【００４０】
また、図５に示すように、放送中は周波数分析によってＤＪと音楽を区別することができる。同図の（ａ）はＤＪのみ、（ｂ）は音楽（＋ＤＪ）のパワーと周波数の関係を示している。
【００４１】
このように、録音したラジオ放送に対し、音声レベルの変化や、音声の周波数成分等から放送内容（音楽、ＣＭ等）を抽出して管理し、検索、再生を容易にしている。
【００４２】
図６は交通情報の録音動作を示すフローチャートである。データ多重放送では、データ信号中の交通アナウンスコードの検出により交通情報の検出が可能であり、この交通アナウンスコードの検出はコンテンツ検出部２等で行う。
【００４３】
交通情報の録音は、交通アナウンスコードがセットされたときに（ステップＳ１）、ラジオ放送（交通情報）の録音を開始し（ステップＳ２）、交通アナウンスコードが解除されたときに（ステップＳ３）、ラジオ放送（交通情報）の録音を終了（ステップＳ４）する。
【００４４】
なお、音楽（楽曲）や交通情報のコンテンツは、放送局情報取得部１２や、データ多重放送にて取得した放送局からの楽曲の時刻情報等からコンテンツを検出してもよい。また、コンテンツに関する情報をコンテンツの内容又はコンテンツの切れ目とした例について説明したが、その他の情報であっても同様に実施可能である。
【産業上の利用可能性】
【００４５】
本発明のラジオ放送録音再生装置は、録音したラジオ放送の中から所望のコンテンツを容易に再生することが可能な効果を有し、車載装置等に有用である。
【図面の簡単な説明】
【００４６】
【図１】本発明の実施形態におけるラジオ放送録音再生装置の基本構成を示すブロック図
【図２】本発明の実施形態におけるラジオ放送録音再生装置の詳細構成を示すブロック図
【図３】本発明の実施形態におけるラジオ放送録音用メモリの記憶領域を示す説明図
【図４】本発明の実施形態におけるラジオ放送録音再生装置のコンテンツ検出例を示す説明図
【図５】本発明の実施形態におけるラジオ放送録音再生装置の音楽検出例を示す説明図
【図６】本発明の実施形態におけるラジオ放送録音再生装置の交通情報録音動作を示すフローチャート
【符号の説明】
【００４７】
１  ラジオチューナ
１ａ  ラジオチューナ
１ｂ  ラジオチューナ
２  コンテンツ検出部
３  ラジオ放送録音用メモリ
３ａ  音楽録音用メモリ
３ｂ  交通情報録音用メモリ
４  コンテンツ再生部
５  スピーカ
６  スイッチ
７  データ圧縮部
８  データ伸張部
９  コンテンツ表示部
１０  セレクタ
１１  選局・時刻取得部
１２  放送局情報取得部
【図１】
2006099854.tif 000003
【図２】
2006099854.tif 000004
【図３】
2006099854.tif 000005
【図４】
2006099854.tif 000006
【図５】
2006099854.tif 000007
【図６】
2006099854.tif 000008